(57)【要約】【課題】  家庭ゴミ等のゴミ集積場への投棄の時間は地域ごとの約束により制限されている。このため投棄できる時間帯に投棄できないような状況に陥る場合がある。制限時間以外の集積場への投棄は、住民間の軋轢を生み現在の地域の大きな問題点となっている。また、制限時間に投棄できない場合は、公園などの公共施設や高速道路のパーキングエリア、スーパーやコンビニなどのゴミ箱に不法に投棄されることがあり、これもまた大きな問題となっている。【解決手段】  有料ではあるが、コイン挿入口にコインを入れることにより開口するゴミの投入口を有する、無人のゴミ収集のためのコインコンテナを提供することにより、いつでも合法的に家庭ゴミ等を投棄できる手段を提供し、上記問題点を解決する。【選択図】図１
2005324961.tif 000002
【特許請求の範囲】
【請求項１】
コイン挿入口にコインを入れることにより、コイン挿入者によりあるいは自動的にゴミの投入口を開口できるゴミの投入ボックスを有し、コイン挿入者がゴミを投入した後に投入口を閉鎖することにより、投入ボックスの底部が開口しゴミが落下するなどの手段により、ゴミが保管コンテナ部に移動する為の機構を有し、コンテナに保管されたゴミを排出収集するための取り出し口を有する、ゴミのコインコンテナ。
【請求項２】
上記ゴミの投入ボックスは、投入されるゴミの大きさを制限するための適当な容積のボックスとゴミの投入のための投入口を持つ容器
【請求項３】
上記ゴミの保管コンテナは、ゴミの排出収集の期間を考慮した適当な容積を持つコンテナで、機密性を向上することにより臭気の周辺への漏洩を考慮した容器。
【請求項４】
ゴミの排出収集するための取り出し口は、排出収集する作業が容易にでき、またコンテナ部の清掃作業が容易にでき、取り出し口からのゴミの投入を防止するために施錠できる開口部。
【発明の詳細な説明】
【技術分野】
【０００１】  本発明は、コイン投入によるゴミの収集のための有料ゴミコンテナに関する。
【背景技術】
【０００２】  コインを投入することにより無人のサービスを受けることのできるシステムは、コインロッカー、自動販売機、コインランドリー、コイン駐車場などがあり、それぞれ秩序を持って有効に活用されている。しかしながら、ゴミ収集のためのコインコンテナは認められない。
【発明の開示】
【発明が解決しようとする課題】
【０００３】  自治体などによる家庭ゴミの回収作業は、例えば１週間に２回のように一定間隔で、かつある程度決められた時間に行われる。このため、家庭ゴミ等のゴミ集積場への投棄の時間は地域ごとの約束により制限されている。このため投棄できる時間帯に投棄できないような状況に陥る場合がある。制限時間以外の集積場への投棄は、住民間の軋轢を生み現在の地域の大きな問題点となっている。また、制限時間に投棄できない場合は、公園などの公共施設や高速道路のパーキングエリア、スーパーやコンビニなどのゴミ箱に不法に投棄されることがあり、これもまた大きな問題となっている。本発明では有料ではあるが無人のゴミ収集のためのコインコンテナを提供することにより、いつでも合法的に家庭ゴミ等を投棄できる手段を提供することにより、上記問題点を解決することを目的とする。
【課題を解決するための手段】
【０００４】  本発明は、コインの挿入口にコインを入れることにより、ゴミの投入口を開口させ、投入口から有料でいつでも家庭ゴミを投入できるようにする。投入されたゴミはいったん投入ボックスに保持され、投入口を閉鎖した後に投入ボックスの底部が開口してゴミが落下するなどの手段により、より大きなコンテナに移動させ、投入ボックスを空とし次の投入を可能とする。コンテナがゴミで一抔になり投入ボックスからの移動ができなくなった段階で、ゴミの投入を不可能とする。コンテナは機密性などを十分考慮し、周辺に臭気などがあまり拡散しないようにすることで、通常のゴミ集積所より周辺環境に配慮したものとなる。【０００５】  本発明は、一般の空き地に飲料缶などの自動販売機の設置と同様にゴミ収集用のコインコンテナを設置する。【０００６】  ゴミの投入者が投入しやすい高さ・位置にゴミの投入口を１個ないし複数個設ける。ゴミの投入口は一般家庭からゴミ集積所に出されるゴミ一回分程度が入れられる大きさとし、コイン挿入口に硬貨などのコインを投入することによって、一箇所の投入口を開口させることができるようにする。【０００７】  投入口から投入されたゴミはいったんゴミの投入ボックスに保持される。投入ボックスの大きさは、一般家庭からゴミ集積所に出されるゴミ一回分程度が収納できる容積とする。【０００８】  ゴミの投入が完了しゴミの投入口が閉鎖された段階で、投入ボックス内のゴミを、ゴミコンテナに移動させるために、ゴミの投入ボックスの底部が開口し、投入ボックス内のゴミを落下させるなどの機構をもつ。【０００９】  ゴミの移動が完了した場合は投入ボックスのゴミコンテナにつながる開口部が閉鎖され、再度【０００６】
【０００７】に示すコイン投入口へのコインの投入と、ゴミの投入ボックスへの投入を可能にできるような機構を有する。【００１０】  ゴミコンテナは投入ボックスから移動されたゴミを複数回分ためる容積を持つ容器とし、機密性などを十分考慮し周辺に臭気などがあまり拡散しないような構造とする。【００１１】  ゴミコンテナに設置した、ゴミの排出収集するための取り出し口からゴミを取り出し、ゴミ収集車両などで回収し、ゴミ処理施設に搬送してゴミ回収処理を行う。取り出し口は、ゴミの排出週数する作業が容易にでき、またコンテナ内の清掃が容易に行える大きさとする。取り出し口には取り出し口からのゴミの投入を防ぐために施錠などができるようにする。
【発明を実施する為の最良の形態】
【００１２】  以下、本発明の実施の形態を図１〜図５に基づいて説明する。
【００１３】  図１はゴミコンテナを含む全体の正面図で、ゴミコンテナ容器１の側面上部に、ゴミ投入口２、コイン投入口３を設置し、ゴミの取り出し口４をその下部に設置する。ゴミの投入口は投入者が投入しやすい高さとする。ゴミの投入口は図２の概観図に示すように、全体の上面に設けても良い。ゴミの取り出し口は、ゴミが取り出し口から投入されないため施錠６などの機構を設ける。
【００１４】  コイン投入口３にコインを投入することにより、コインロッカーの場合のように電気的あるいは機械的にゴミ投入口の施錠が開放され、ゴミ投入口２が開口できるようになる（図３）。ゴミ投入口には機密性をある程度保持するためのシール機構を設置する。ゴミ投入口をあけることにより、ゴミをゴミ投入ボックス５に投入することができる。
【００１５】  図４はゴミの投入ボックスの概観図である。ゴミをいったん保持する容器部には、ゴミの投入口が閉鎖された場合開口する底板部７を設置する。図４には底板を閉めた状態とあけた状態を示す。また、容器部の側面部８はゴミの自然落下を容易にするため、下方が若干広くなるようなテーパをつけることができる。
【００１６】  図５はゴミのコインコンテナ１から、ゴミの取り出し口４をあけて、ゴミを収集する場合の状態を示す。
【図面の簡単な説明】
【００１７】
【図１】ゴミのコインコンテナの概観
【図２】ゴミのコインコンテナの概観（投入口が上面にある場合）
【図３】ゴミのコインコンテナの概観（コインを入れてゴミの投入口をあけた状態）
【図４】投入ボックスの底板を閉めた状態（左図）  投入ボックスの底板を開けた状態（右図）
【図５】ゴミのコインコンテナの概観（ゴミの取り出し口をあけた状態）
【符号の説明】
【００１８】  １  ゴミコンテナ容器  ２  ゴミ投入口  ３  コイン投入口  ４  ゴミの取り出し口  ５  ゴミ投入ボックス  ６  施錠  ７  投入ボックスの底板  ８  投入ボックスの側板
【図１】
2005324961.tif 000003
【図２】
2005324961.tif 000004
【図３】
2005324961.tif 000005
【図４】
2005324961.tif 000006
【図５】
2005324961.tif 000007